(57)【要約】      （修正有）【課題】携帯型情報端末に特別な加工を施すことなく、また専用のバンドを必要とすることなく、携帯型情報端末を、簡単、低コストで腕時計のように手首に装着することを可能にする台座部材を提供する。【解決手段】携帯型情報端末１をこの端末１に付設のクリップ２で挟み付けるベース部３と、このベース部３の両側に設けて市販の時計バンド４を接続ピン５で取り付けるバンド接続部６とで形成する。ベース部３をほぼ方形の平板状に形成し、このベース部３の一側辺部３ａに、携帯型情報端末１のクリップ２の先端の凸段差状の押さえ部２ａと係合してクリップ２の抜け外れを防止するための係合部３ｂを切り欠き状に形成する。【選択図】図１
0003166596.tif 000002
【実用新案登録請求の範囲】
【請求項１】
携帯型情報端末がこの端末に付設のクリップで挟み付けられるベース部と、このベース部の両側に設けられて市販の時計バンドが接続ピンで取り付けられるバンド接続部とで形成されていることを特徴とする携帯型情報端末の手首装着用台座部材。
【請求項２】
請求項1記載の携帯型情報端末の手首装着用台座部材であって、ベース部がほぼ方形の平板状に形成され、このベース部の一側辺部に、携帯型情報端末のクリップの先端の凸段差状の押さえ部と係合してクリップの抜け外れを防止するための係合部が切り欠き状に形成されていることを特徴とする携帯型情報端末の手首装着用台座部材。
【請求項３】
請求項1又は２記載の携帯型情報端末の手首装着用台座部材であって、バンド接続部が、ベース部を上から見て、時計バンドの端部の幅だけあけられて一対の突起状に形成されていることを特徴とする携帯型情報端末の手首装着用台座部材。
【考案の詳細な説明】
【技術分野】
【０００１】
本考案は、携帯型情報端末の手首装着用台座部材に関し、更に詳しくは、携帯型情報端末を、市販の時計バンドを利用して、例えば腕時計のように手首に装着することが可能になるよう形成した携帯型情報端末の手首装着用台座部材に関するものである。
【背景技術】
【０００２】
従来、この種の部材としては、例えば特許文献１に記載されているものがある。
この従来品は、ケースの両側面に溝を形成し、この溝に嵌合する突部をアタッチメントに形成し、装着用フックを備えたアタッチメントに携帯電子機器のケースを着脱可能に形成しているものである。
【０００３】
この従来品は、アタッチメントのフックを介して、ケースを衣服等に取り付けることができ、またこれによると、ケースの溝にバンドの突部を嵌合することで、手首に携帯電子機器を装着することができる。
【０００４】
而して、この従来品は、手首に携帯電子機器を装着したいときは、上記のように、ケースに溝を形成し、この溝と嵌合するよう突部をバンドの端部に形成する必要があった。
従って、従来品によって、携帯電子機器を腕時計化する場合は、溝や突部を加工する必要があったから、その分、手間暇やコストがかかる、という問題点があった。
【０００５】
また従来品の場合は、上記の通り、手首に携帯電子機器を装着するためには、突部が端部に形成された専用のバンドを必要とするものであった。
従って、従来品の場合は、専用のバンドを購入しなければならない、という煩雑さがあったから、従来品によると、例えば時（time）、所（place）、場合（occasion）に合わせて好みのバンドを選んで簡単、安価に、且つファッショナブルに携帯電子機器を装着することができない、という問題点があった。
【先行技術文献】
【特許文献】
【０００６】
【特許文献１】特開平１０−６２５６６号公報
【考案の概要】
【考案が解決しようとする課題】
【０００７】
本考案は、このような従来技術の問題点に鑑み、提案されたものである。
従って本考案の解決しようとする技術的課題は、携帯型情報端末に特別な加工を施すことなく、また専用のバンドを必要とすることなく、携帯型情報端末を、簡単、低コストで腕時計のように手首に装着することが可能になるよう形成した携帯型情報端末の手首装着用台座部材を提供することにある。
【課題を解決するための手段】
【０００８】
本考案は、上記の課題を解決するため、次のような技術的手段を採る。
即ち、本考案は、図１等に示されるように、携帯型情報端末１がこの端末１に付設のクリップ２で挟み付けられるベース部３と、このベース部３の両側に設けられて市販の時計バンド４が接続ピン５で取り付けられるバンド接続部６とで形成されていることを特徴とする（請求項１）。
【０００９】
本考案の場合、携帯型情報端末１としては、例えばアップルインコーポレイテッドの「ｉｐｏｄｎａｎｏ」（登録商標）などがある。携帯型情報端末１は、クリップ２が付設されているものであれば、音楽をイヤホン等で聴くタイプには限られない。またベース部３は、携帯型情報端末１のクリップ２を挟み付けることができる形状であれば良い。従ってベース部３は、例えば枠状でも板状でも良く、また平面形状（上から見た形状）も、例えば方形、丸形、楕円形等任意である。また本考案の場合、ベース部３の材質は、例えば金属材やプラスチック等、任意である。
【００１０】
而して、本考案は、ベース部３がほぼ方形の平板状に形成され、このベース部３の一側辺部３ａに、携帯型情報端末１のクリップ２の先端の凸段差状の押さえ部２ａと係合してクリップ２の抜け外れを防止するための係合部３ｂが切り欠き状に形成されているのが好ましい（請求項２）。
【００１１】
なぜなら、これによると、携帯型情報端末１に、振動や衝撃が加えられたとき、抜け落ちを防止でき、装着状態を安定化できるからである。
【００１２】
また本考案は、バンド接続部６が、ベース部３を上から見て、時計バンド４の端部の幅Ｄだけあけられて一対の突起状に形成されているのが好ましい（請求項３）。
【００１３】
なぜなら、これによれば、市販の多くの時計バンド４を、ベース部３の側部に腕時計状に違和感なく整然と取り付けることができるからである。
【考案の効果】
【００１４】
本考案は、このように携帯型情報端末をこの端末に付設のクリップで挟み付けるためのベース部と、このベース部の両側に設けて市販の時計バンドを接続ピンで取り付けるためのバンド接続部とで形成されているものである。
【００１５】
従って本考案によれば、携帯型情報端末に特別な加工を施すことなく、また専用のバンドを用いることなく、市販の時計バンドを利用して、簡単、安価に携帯型情報端末を腕時計のように手首に装着して使用することができる。
【図面の簡単な説明】
【００１６】
【図１】本考案の台座部材の好適な一実施形態を示し、Ａは使用状態を説明するための正面図、Ｂは斜視図である。
【図２】同上台座部材を示し、Ａは平面図、Ｂは右側面図である。
【図３】同上台座部材を示し、Ａは底面図、ＢはＡのＢ−Ｂ線断面図である。
【図４】同上台座部材の使用状態を説明するための斜視図である。
【図５】同上台座部材の使用状態時の斜視図である。
【図６】同上台座部材の使用状態時の斜視図である。
【図７】同上台座部材の使用状態時の平面図である。
【図８】同上台座部材の使用状態時の底面図である。
【図９】同上台座部材の使用状態時の正面図である。
【図１０】同上台座部材の使用状態時の要部断面図である。
【図１１】同上台座部材の使用状態を説明するための平面図である。
【考案を実施するための形態】
【００１７】
以下、本考案の好適な一実施形態を、添付図面に従って説明する。
【００１８】
本考案は、図１等に示されるように、携帯型情報端末１がこの端末１に付設のクリップ２で挟み付けられるベース部３と、このベース部３の両側に設けられて市販の時計バンド４が接続ピン５で取り付けられるバンド接続部６とで形成されている。
【００１９】
この実施形態の本考案品の場合、携帯型情報端末１は、具体的にはアップルインコーポレイテッド製の「ｉｐｏｄｎａｎｏ」（登録商標）が使用されている。この携帯型情報端末１は、上から見てほぼ正方形であり、付設のクリップ２は端末１の本体より一回り小さい状態でほぼ長方形に形成され、巻きバネ７で端末１の底面に常時弾発されている。
【００２０】
ベース部３とバンド接続部６は、この実施形態ではアルミニウム等の金属材で一体状に形成されている。またベース部３は、端末１が密着するよう平板状に形成され、一側辺部３ａに、携帯型情報端末１のクリップ２の先端の凸段差状の押さえ部２ａと係合してクリップ２の抜け外れを防止するための係合部３ｂが切り欠き状に形成されている。
【００２１】
クリップ２の押さえ部２ａは、クリップ２の先端の一辺に沿って、且つ端末１の底面に押し付けが可能になるようクリップ２の内面側に突条に形成されている。従って係合部３ｂは、この押さえ部２ａと係合するよう、ベース部３の一側辺部３ａがその長手方向に沿って押さえ部２ａの長さ及び幅より幾分大きい状態で凹み状に形成されている。またこの実施形態の本考案品は、ベース部３の一側辺部３ａと反対側の他方の側辺部３ｃに、携帯型情報端末１のクリップ２の巻きバネ収納部８と係合する切り欠き部３ｄが形成されている。
【００２２】
またバンド接続部６は、この実施形態ではベース部３を上から見て、時計バンド４の端部の幅Ｄだけあけられて一対の突起状に形成されている。接続ピン５は、市販の時計バンド４を腕時計本体へ装着する際に使用する周知の構造のものである。具体的には、径の短い極細状のコイルスプリング（図示せず）を内蔵し、このコイルスプリングで端部５ａが外方に弾発されて突き出されている。
【００２３】
そして本考案品は、一対状のバンド接続部６に、接続ピン５の端部５ａが嵌入する細孔６ａが夫々形成されている。接続ピン５は、この細孔６ａに、時計バンド４の端部の孔４ａに通された状態で嵌入されるものである。
【００２４】
次に、この実施形態の本考案品の使用例を説明する。
先ず、使用者は、図１等に示されるように、ベース部３の両側のバンド接続部６に夫々市販の好みの時計バンド４を取り付ける。具体的には、接続ピン５を時計バンド４の端部の孔４ａに通し、次に時計バンド４を一対の突起状のバンド接続部６の間に差し入れ、バンド接続部６の細孔６ａに、接続ピン５を、内蔵するコイルスプリングの復元力を利用して取り付ける。
【００２５】
次に使用者は、携帯型情報端末１をベース部３に挟み付ける。具体的には、図１Ａに示されるように、クリップ２を巻きバネ７の復元力に抗して端末１の底面から下方に引き離し、次にクリップ２の先端の押さえ部２ａが係合部３ｂに係合するまでベース部３に端末１を差し入れる。そして押さえ部２ａが係合部３ｂに係合すると、巻きバネ７の復元力でクリップ２がベース部３に押し付けられ、端末１がベース部３に挟み付けられる。
【００２６】
この場合、本考案品は、ベース部３が平板状であるから、携帯型情報端末１はベース部３にピッタリくっ付いてガタツクことなく取り付けられる。また押さえ部２ａが係合部３ｂに係合することにより、差し入れ方向と反対方向への抜け外れが防止され、安定した状態でしっかりと取り付けられる。
【００２７】
使用者は、このようにベース部３に携帯型情報端末１を挟み付け、その後、図１１に示されるように、手首に時計バンド４を巻き付けて使用する。
従って本考案品は、携帯型情報端末１の液晶ディスプレイ１ａに、時計を表示すれば、携帯型情報端末１を腕時計化できるものである。
【符号の説明】
【００２８】
１    携帯型情報端末
１ａ  液晶ディスプレイ
２    クリップ
２ａ  押さえ部
３    ベース部
３ａ  一側辺部
３ｂ  係合部
３ｃ  他方の側辺部
３ｄ  切り欠き部
４    時計バンド
４ａ  端部の孔
５    接続ピン
５ａ  端部
６    バンド接続部
６ａ  細孔
７    巻きバネ
８    巻きバネ収納部
Ｄ    端部の幅
【図１】
0003166596.tif 000003
【図２】
0003166596.tif 000004
【図３】
0003166596.tif 000005
【図４】
0003166596.tif 000006
【図５】
0003166596.tif 000007
【図６】
0003166596.tif 000008
【図７】
0003166596.tif 000009
【図８】
0003166596.tif 000010
【図９】
0003166596.tif 000011
【図１０】
0003166596.tif 000012
【図１１】
0003166596.tif 000013